(57)【要約】  【課題】  酸素富化機能を有する分離型空気調和機であって、ガス送出配管の室外ユニットとの接続を容易にして施工性を向上させるとともに、美観を良化すること。  【解決手段】  ジョイント部４が、室外ユニット１の一側面に内外接続管の前記２つの接続部７ａ、７ｂの間に臨接して前記ジョイント部の前記ガス送出配管取付部４ａを内外接続管の前記２つの接続部の取付けられた一側面と略同一面に設ける。【選択図】  図２
2005076955.tif 000002
【特許請求の範囲】
【請求項１】
室外ユニットに少なくとも酸素富化膜を有し、前記室外ユニットから室内ユニットにガス送出配管を用いて酸素富化空気を搬送して放出するように構成された酸素富化機能付き空気調和機であって、前記室外ユニットは側面に内外接続管の高圧ガス管および低圧ガス管を接続する接続部を有するとともに、前記ガス送出配管を前記室外ユニットに接続するガス送出配管取付部は、前記２つの接続部の間に臨接して位置し、且つ前記接続部の取付けられた側面と略同一面に設けられたことを特徴とする酸素富化機能付き空気調和機。
【請求項２】
室外ユニットに少なくとも酸素富化膜を有し、前記室外ユニットから室内ユニットにガス送出配管を用いて酸素富化空気を搬送して放出するように構成された酸素富化機能付き空気調和機であって、前記ガス送出配管と室内ユニットとに連結して酸素富化ガスを室外ユニットから室内ユニットに導くリードチューブを有し、前記リードチューブの室外ユニット側の先端にガス送出配管取付部と前記リードチューブとを連結する略Ｌ字型の接続具を設けたことを特徴とする、請求項１記載の酸素富化機能付き空気調和機。
【発明の詳細な説明】
【技術分野】
【０００１】
本発明は、酸素富化機能を有する分離型空気調和機に関するものである。
【背景技術】
【０００２】
従来、この種の空気調和機としては、例えば酸素富化機能付き空気調和機であって、室外ユニットに熱交換器、送風ファン、及び酸素富化膜等を具備した酸素富化ユニットを備え、酸素富化ユニットは室外ユニットの上面部に載置されており、高さ方向には大きくなるものの、設置平面方向での設置スペースを増加させることのない構成とした発明が開示されている。
【０００３】
上記発明の構成においては、室外ユニット側から室内ユニットに酸素富化ガスを搬送するためにガス送出配管が用いられているが、同発明ではこの送出配管は室外ユニット上面部に配置した酸素富化ユニットから直接室外ユニット筐体外に取り出されて室内ユニット側に引きまわされる事例が開示されている（例えば、特許文献１参照）。
【特許文献１】特開平５−９９４５７号公報
【発明の開示】
【発明が解決しようとする課題】
【０００４】
しかしながら、前記従来の構成は、室外ユニット側面において内外接続管の接続部は側面下方に配置されている一方、酸素富化ユニットが室外ユニット筐体上方に配置されていてこの部位からガス送出配管を引きまわすように構成されている。さて、一般に室内ユニットと室外ユニットとを接続する内外接続管は異径の２本の配管で構成されており、これら２本が一体として引き回されて室内ユニットと室外ユニットとを連結する。更には室内ユニットと室外ユニットとを電力供給や通信の用で電気的に接続する電線（図示せず）もこの内外接続管とともに引き回されて、室内ユニットから室外ユニット近傍まではこれらが一体にまとめられ、テーピングされ係止されている。従って、上記従来の発明にかかる空気調和機では、冷媒の通る内外接続管と酸素富化ガスの通るガス送出配管の室外ユニットとの接続位置がはなれており、内外接続管とガス送出配管の引き回しにおいて途中で分岐させるか、一旦室外ユニットの内外接続管近傍まで一体に引きまわして、そのあと再度上方に引きまわす必要が生じる。なお、分岐した部分は別途テーピングなどを施さないと美観上、または対候性上課題が生じる。しかしこのような作業には工事に手間がかかり不便であった。
【０００５】
本発明は、上記従来の課題を解決し、ガス送出配管の室外ユニットとの接続を容易にして施工性を向上させるとともに、美観を良化することができる。
【課題を解決するための手段】
【０００６】
前記従来の課題を解決するために、本発明の酸素富化機能付き空気調和機は、室外ユニットの外箱側面の、内外接続管の接続部を覆うカバーの内部に、富化ガスを搬送するガス送出配管を前記室内ユニットに接続するジョイント部を設けることを特徴とするものである。
【発明の効果】
【０００７】
以上のように、本発明によれば、室外ユニットから室内ユニットに酸素富化空気を搬送するガス送出配管を簡単にジョイント工事することができ、施工性ならびに美観の向上が実現できる。
【発明を実施するための最良の形態】
【０００８】
以下に、本発明の実施の形態について、図面を参照しながら説明する。
【０００９】
（実施の形態１）
図１および図２は本発明の酸素富化機能を有する分離型空気調和機の構成を示したものである。
【００１０】
同図において、分離型空気調和機は室外ユニット１と室内ユニット２で構成され、冷媒ガスが循環するように内外接続管１０により室外ユニット側は接続部となる二方弁７ａと三方弁７ｂで、室内ユニット側は連結部１８ｂで接続されている。室外ユニット１は、圧縮機１１、熱交換器１２、及びファン１３を有するとともに、一室を隔してガス富化膜ユニット３１、減圧ポンプ３２等を備えたガス富化装置の主な構成部材が設けられている。また、室内ユニット２は、ファン２１や熱交換器２２を有するとともに、ガス富化装置の吹出口３３が設けられている。
【００１１】
一方、ガス富化装置は、酸素富化膜を備えたガス富化膜ユニット３１と、ガス富化膜ユニット３１の二次側を減圧する減圧ポンプ３２とを有しており、室外ユニットは室外補助チューブ８を経由してガス送出配管４０を接続するジョイント部４を有している。ガス送出配管４０は、室内ユニットのリードチューブ１６と、連結部１８ａにおいて接続され室外ユニットで酸素富化された空気が室内ユニットの吹出口３３から放出されるように構成されている。
室外ユニット１は一側面に内外接続管の高圧ガス管と低圧ガス管とを接続する接続部７ａ、７ｂをそれぞれ有するとともに、前記ガス送出配管４０を前記室外ユニット側に接続するジョイント部４において、内外接続管の前記２つの接続部の間に臨接して前記ジョイント部の前記ガス送出配管取付部４ａが内外接続管の前記２つの接続部の取付けられた一側面と同一面に設けられたことにより、例え外部からの衝撃が生じた場合でも、前記ジョイント部は当りにくい位置にあり、損傷することは少ない。
【００１２】
次に、図１および図２を用いて、室外ユニットから室内ユニットにガス送出配管を用いて酸素富化空気を搬送して放出できる構成を説明する。
【００１３】
ガス送出配管４０の接続方向が内外接続管１０の接続部と差し込み方向を略同方向にして、ガス送出配管４０と室内ユニット２側で連結して酸素富化ガスを室内側に導くリードチューブ１６を有し、このリードチューブ１６と接続されているガス送出配管４０の室外ユニット側先端に前記室外ユニット側ジョイント部４と連結するＬ字の接続具５で構成されることにより、前記ガス送出配管のジョイント部４とガス送出配管４０の連結がＬ字接続具５をガス送出配管４０の室外ユニット側先端に設けることにより容易に接続することができる。
【００１４】
なお、ジョイント部４は、内外接続管１０の高圧ガス管と低圧ガス管の接続部の間に臨接しているが、内外接続管１０の接続部からの水滴落下による付着防止により内外接続管１０の上部近傍に臨接してもよい。
【図面の簡単な説明】
【００１５】
【図１】本発明の一実施例による酸素富化機能付き空気調和機の構成図
【図２】本発明の一実施例による室外ユニット側面の斜視図
【図３】従来の空気調和機の構成図
【符号の説明】
【００１６】
１  室内ユニット
２  室内ユニット
４  ジョイント部
４a  ガス送出配管取付部
５  Ｌ字の接続具
７a  二方弁
７b  三方弁
８  室外補助チューブ
１０  内外接続管
１１  圧縮機
１２  室外熱交換器
１３  室外ファン
１５  リードパイプ
１６  リードチューブ
１８a  連結部
１８b  連結部
２１  室内ファン
２２  室内熱交換器
３１  酸素富化膜
３２  減圧ポンプ
３３  吹出口
４０  ガス送出配管
【図１】
2005076955.tif 000003
【図２】
2005076955.tif 000004
【図３】
2005076955.tif 000005